【事件の表示】
　特許第２９９９１７４号「遊戯台のリール部材アッセンブリ及び遊戯台」の請求項１ないし７に係る特許に対する特許異議の申立てについて、次のとおり決定する。
【結　論】
　訂正を認める。
　特許第２９９９１７４号の請求項１ないし７に係る特許を取り消す。
【理　由】
（１）手続きの経緯
  本件特許第２９９９１７４号発明は、平成１０年６月１２日に出願され、平成１１年１１月５日にその特許の設定登録がなされ、その後、中川晶子より特許異議の申立てがなされ、２回目の取消理由通知（平成１３年５月８日付）に対し意見書の提出及び訂正請求（平成１３年７月１７日付）がなされたものである。
（２）訂正の適否の判断
１．訂正の内容
（訂正事項ａ）
　特許請求の範囲の請求項２における、
「各々の前記リール部材間で、より外周側に位置する前記リール部材の絵柄ほど、小さくなっていること」を、
「各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材か、又は、切り取ってあること」と訂正する。
（訂正事項ｂ）
　特許請求の範囲の請求項４における、
「前記絵柄は前記リール部材間で重なるように配置され、かつ、前記リール部材間で前記絵柄同士が少なくとも略相似形の絵柄であること」を、
「前記絵柄は前記リール部材間で重なるように配置され、かつ、前記リール部材間で前記絵柄同士が少なくとも略相似形であり、更に、照明により混合色が現れる相互に異なる色の絵柄であること」と訂正する。
（訂正事項ｃ）
　特許請求の範囲の請求項５における、
「各々の前記リール部材間で、より外周側に位置する前記リール部材の絵柄ほど、小さくなっていること」を、
「各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材であること」と訂正する。
（訂正事項ｄ）
　明細書の段落【０００５】における、
「本発明のリール部材アッセンブリにおいては、前記リール部材に施された前記絵柄を、各々の前記リール部材間で、より外周側に位置する前記リール部材の絵柄ほど、小さくすることもできる。」を、
「本発明のリール部材アッセンブリにおいては、前記リール部材に施された前記絵柄が、各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材か、又は、切り取ってあってもよい。」と訂正する。
（訂正事項ｅ）
　明細書の段落【０００６】における、
「また、本発明によれば、複数種類の絵柄が施された回転リールを複数個有し、前記複数のリール上に施された絵柄を表示窓上に停止させ、停止時の絵柄の組み合わせから所定数の玉またはメダルを払い戻す遊戯台であって、各々の前記リールが、少なくとも２層からなる複数のリール部材を、内周側から外周側へ向かって積層したリールであって、各々の前記リール部材には、複数種類の絵柄が施され、前記絵柄は前記リール部材間で重なるように配置され、かつ、前記リール部材間で前記絵柄同士が少なくとも略相似形の絵柄であることを特徴とする遊技台が提供される。」を、
「また、本発明によれば、複数種類の絵柄が施された回転リールを複数個有し、前記複数のリール上に施された絵柄を表示窓上に停止させ、停止時の絵柄の組み合わせから所定数の玉またはメダルを払い戻す遊戯台であって、各々の前記リールが、少なくとも２層からなる複数のリール部材を、内周側から外周側へ向かって積層したリールであって、各々の前記リール部材には、複数種類の絵柄が施され、前記絵柄は前記リール部材間で重なるように配置され、かつ、前記リール部材間で前記絵柄同士が少なくとも略相似形であり、更に、照明により混合色が現れる相互に異なる色の絵柄であることを特徴とする遊技台が提供される。」と訂正する。
（訂正事項ｆ）
　明細書の【０００６】における、
「本発明の遊戯台においては、前記リール部材に施された前記絵柄を、各々の前記リール部材間で、より外周側に位置する前記リール部材の絵柄ほど、小さくすることもできる。」を、
「本発明の遊戯台においては、前記リール部材に施された前記絵柄が、各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材であってもよい。」と訂正する。
２．訂正の目的の適否、新規事項の有無及び拡張・変更の存否
　上記（訂正事項ａ）については、特許請求の範囲の請求項２に記載された絵柄について、明細書の段落【００２５】に記載される、外周側に位置するリール部材の絵柄によって隠れている、内周側に位置するリール部材の絵柄の部分が、光透過性の部材か、又は、切り取ってあること、に限定したものであり、特許請求の範囲の減縮に相当する。
　上記（訂正事項ｂ）は、特許請求の範囲の請求項４に記載された略相似形であるリール部材間の絵柄の色について、明細書の段落【００２２】に記載される、照明により混合色が現れる相互に異なる色であること、に限定したものであり、特許請求の範囲の減縮に相当する。
　上記（訂正事項ｃ）は、特許請求の範囲の請求項５に記載された絵柄について、外周側に位置するリール部材の絵柄によって隠れている、内周側に位置するリール部材の絵柄の部分が、光透過性の部材であること、に限定したものであり、特許請求の範囲の減縮に相当する。
　上記（訂正事項ｄ）は、上述した（訂正事項ａ）に示した請求項２の記載の訂正に伴って訂正したものであり、明りょうでない記載の釈明に相当する。
　上記（訂正事項ｅ）は、上述した（訂正事項ｂ）に示した請求項４の記載の訂正に伴って訂正したものであり、明りょうでない記載の釈明に相当する。
　上記（訂正事項ｆ）は、上述した（訂正事項ｃ）に示した請求項５の記載の訂正に伴って訂正したものであり、明りょうでない記載の釈明に相当する。
　そして、上記（訂正事項ａ）〜（訂正事項ｆ）は、新規事項の追加に該当せず、また、実質的に特許請求の範囲を拡張又は変更するものではない。
３．むすび
　したがって、上記訂正は、特許法第１２０条の４第２項及び同条第３項において準用する特許法第１２６条第２項から第４項までの規定に適合するので、当該訂正を認める。
（３）特許異議申立てについての判断
１．本件発明
  本件の請求項１〜７に係る発明は、訂正明細書の特許請求の範囲に記載された次の事項によって特定されるとおりのものである。
　【請求項１】少なくとも２層からなる複数のリール部材を、内周側から外周側へ向かって積層したリール部材アッセンブリであって、各々の前記リール部材には、複数種類の絵柄が施され、前記絵柄は前記リール部材間で重なるように配置され、かつ、前記リール部材間で前記絵柄同士が少なくとも略相似形の絵柄であることを特徴とする遊戯台のリール部材アッセンブリ。
　【請求項２】前記リール部材に施された前記絵柄は、各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材か、又は、切り取ってあることを特徴とする請求項１に記載の遊戯台のリール部材アッセンブリ。
　【請求項３】最も外周側の前記リール部材は、その前記絵柄が施された部分が凸状に隆起したものであることを特徴とする請求項１又は２に記載の遊戯台のリール部材アッセンブリ。
　【請求項４】複数種類の絵柄が施された回転リールを複数個有し、前記複数のリール上に施された絵柄を表示窓上に停止させ、停止時の絵柄の組み合わせから所定数の玉またはメダルを払い戻す遊戯台であって、各々の前記リールが、少なくとも２層からなる複数のリール部材を、内周側から外周側へ向かって積層したリールであって、各々の前記リール部材には、複数種類の絵柄が施され、前記絵柄は前記リール部材間で重なるように配置され、かつ、前記リール部材間で前記絵柄同士が少なくとも略相似形であり、更に、照明により混合色が現れる相互に異なる色の絵柄であることを特徴とする遊技台（遊戯台の誤記と認められる）。
　【請求項５】前記リール部材に施された前記絵柄は、各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材であることを特徴とする請求項４に記載の遊戯台。
　【請求項６】最も外周側の前記リール部材は、その前記絵柄が施された部分が凸状に隆起したものであることを特徴とする請求項４又は５に記載の遊戯台。
　【請求項７】前記表示窓上に所定の前記絵柄が揃った場合に、前記リールを照明するためのバックライトを設けたことを特徴とする請求項４乃至６のいずれか１項に記載の遊戯台。
２．引用刊行物
　平成１３年５月８日付の取消理由通知書において引用した刊行物１（特開平６−２４６０４６号公報・・甲第１号証）には、
「【０００２】
【従来の技術】複数の識別情報を可変表示する回転ドラムを備えた遊技機（例えば、弾球遊技機やスロットマシーン等）の可変表示装置においては、回転ドラムの外周に複数の図柄が描かれたシールを貼付したり、あるいは直接複数の図柄を印刷したり描いたりして形成されるものがほとんどであった。
【０００３】
【発明が解決しようとする課題】このため、遊技者から見た場合に識別情報が平面的に見え、立体感がなく、識別情報に遊技者の注意を引き付ける点で不十分であった。本発明は、上記した事情に鑑みなされたもので、その目的とするところは、識別情報が立体的に視認でき、もって遊技者の注意を引き付けることができる可変表示装置を提供することにある。」、
「【００１２】次に、本実施例の要部を構成する可変表示装置３０の構成について図１乃至図６を参照して説明する。可変表示装置３０は、前記遊技盤１の表面に取り付けられる取付基板３１と、遊技盤１の裏面に取り付けられる複数の回転ドラム装置４０を収納するドラム装置ユニットとに分けられる。」、
「【００１５】次に、遊技盤１の裏面に設けられる回転ドラムユニットの構成について図１乃至図５を参照して説明する。回転ドラムユニットは、複数個（３個）の回転ドラム装置４０を前面が開放した収納ボックス（図示しない）に収納することによって構成されるものである。・・・
【００１６】・・・固定板４１の前方部であって回転ドラム５０の内側には、反射収容部材４４に収納支持される蛍光管４５が設けられている。この蛍光管４５は、前記透明レンズカバーを通して視認し得る複数（３つ）の識別情報の後方から光を照射してその装飾効果を高めるものである。
【００１７】ところで、回転ドラム５０は、前記ステッピングモータ４２の出力軸４３に嵌合固定される中心軸部５５から放射線状に延びるリールフレーム５４の外周に図柄表示面が構成される外ドラム５１と、該外ドラム５１の内側に固定される中ドラム５２及び内ドラム５３とが積層状に取り付けられることにより構成されている。・・・
【００１８】ところで、上記のように構成される回転ドラム５０において、各ドラム５１〜５３の外周表示面が所定間隔をおいて形成されることとなり、その外周表示面にそれぞれ図柄層５６〜５８が形成されている。これらの図柄層５６〜５８は、例えば、複数の図柄をプリントした図柄シールを貼付することにより構成されている。もちろん、他の方法、例えば、転写印刷によってそれぞれの外周表示面に図柄層５６〜５８を形成しても良い。
【００１９】しかして、図３（Ａ）に示すように、外ドラム５１の外図柄層５６に「７」の図柄５６ａを赤色（どのような色でも良い）で形成し、中ドラム５２の中図柄層５７に同じく「７」の図柄５７ａを明度のやや高い同色系で形成し、内ドラム５３の内図柄層５８に同じく「７」の図柄５８ａをさらに明度の高い同色系で形成し、しかもそれらを積層したときに図３（Ｂ）に示すように、斜め方向にずれるように配置することにより、あたかも図柄「７」に影ができたように視認でき、しかもその影が間隔をおいて形成されるので、遊技者の目に立体感をもって視認され、今までにない識別情報として遊技者の注意を引き付けることとなる。
【００２０】また、上記のように各図柄層５６〜５８に形成される図柄５６ａ〜５８ａをずらすのではなく、図４（Ａ）に示すように、外ドラム５１の外図柄層５６に「７」の輪郭図柄５６ｂを形成し、中ドラム５２の中図柄層５７に「７」の着色図柄５７ｂを形成し、内ドラム５３の内図柄層５８に「ＣＨＡＮＣＥ」の文字図柄５８ｂを形成し、それらを積層することにより、文字と数字とが重複した識別情報を視認することができるばかりでなく、この場合においても各図柄５６ｂ〜５８ｂが間隔をおいて形成されるので、遊技者の目に立体感をもって視認され、今までにない識別情報として遊技者の注意を引き付けることとなる。
【００２１】上記した実施例では、回転ドラム５０においては、外ドラム５１、中ドラム５２、内ドラム５３の３層を有するものについて説明したが、図１（Ｂ）に示すように、外ドラム５１と内ドラム５３との２層にしたものでも良い。この場合には、位置決め規制片６３や嵌入凹部６４及び位置決め突部６７は、必要ない。また、図柄層が所定間隔をおいて積層的に構成されていれば良いので、例えば、外ドラムの表面側と裏面側に図柄層を形成したものや、あるいは図柄層自体の厚みを厚くしてそれらを複数層積層したものでも良い。
【００２２】また、上記した実施例では、複数の識別情報すべてが所定間隔をおいて形成されるものであるが、図５（Ａ）に示すように、リールフレーム７２を有する内ドラム７１の外側に凸表示部７３ａと凹表示部７３ｂとを有する外ドラム７３を積層した回転ドラム７０にように構成しても良い。・・・上記のように構成される回転ドラム７０においては、外ドラム７３の凸表示部７３ａ及び該凸表示部７３ａに対応する内ドラム７１の外周表示面に、例えば、特定遊技状態を生起せしめる大当り図柄を形成し、外ドラム７３の凹表示部７３ｂに、例えば、大当り図柄以外の外れ図柄を形成する。これにより、遊技者の最も注目する大当り図柄に対応する識別情報を立体的に表示し得るという利点がある。」、
　と記載されており、上記の記載と図面を参照すると、刊行物１には、
「複数のドラム５１〜５３、７１、７３を積層した遊技機用の回転ドラム５０、７０であって、各々の回転ドラム５０、７０には、複数種類の図柄５６ａ〜５８ａを形成した図柄層５６〜５８を設け、上記図柄は斜め方向にずれるように配置し、図柄の図形は略同じである遊技機の回転ドラム装置であり、最外周のドラム７３に凸表示部７３ａ、凹表示部７３ｂを設け、ここに図柄が形成されるものを含む遊技機の回転ドラム装置。」（以下、「刊行物１記載の発明Ａ」という。）、
「複数種類の図柄を形成した回転ドラム５０、７０を複数個有し、前記複数の回転ドラム５０、７０上の図柄を窓開口８２の表示透明窓８９ａ〜８９ｃに視認されるように形成してなる遊技機であって、各々の前記回転ドラム５０、７０が、複数のドラム５１〜５３、７１、７３を積層した遊技機用の回転ドラム５０、７０であって、各々の回転ドラム５０、７０には、複数種類の図柄５６ａ〜５８ａを形成した図柄層５６〜５８を設け、上記図柄は斜め方向にずれるように配置し、図柄の図形は略同じである遊技機であり、また、最外周のドラムに凸表示部７３ａ、凹表示部７３ｂを設け、ここに図柄が形成されるものを含む遊技機。」（以下、「刊行物１記載の発明Ｂ」という。）、及び
「上記刊行物１記載の発明Ｂにおいて、固定板４１の前方部であって回転ドラム５０の内側には、反射収容部材４４に収納支持される蛍光管４５を設けた遊技機」（以下、「刊行物１記載の発明Ｃ」という。）が記載されている。
　同じく引用した刊行物２（特開平６−３３１３９５号公報）には、
「【０００２】
【従来の技術】従来、車両用計器等の表示体は、樹脂基板上に印刷等によって形成されることが一般的である。その画像は、平面画像であることが多いが、近年、高級化指向の高まり、商品の多様化に対応し、表示画像に立体感を付与することが検討されている。
【０００３】表示画像に立体感を付与するには、成形、厚肉印刷等により画像表面に凹凸を形成することが考えられる。
【０００４】
【発明が解決しようとする課題】しかしながら、この方法では、金型が必要となるとともに画像解像性が低下する等の問題があり、多種少量の生産には向かなかった。この問題を解決するため、特開平２?１２２２２０号公報に示されているものでは、光反応性樹脂を用いて表示したい立体画像に合わせて凹凸の画像を形成している。
【０００５】特開平２−１２２２２０号公報に示す光反応性樹脂を用いる方法では金型が不要になるとともに画像解像性も向上する等の長所はあるが、平面画像の形成と比較して工程が複雑となり、材料費および加工費の増加が不可避となる。また、視認する角度によっては、立体感が低下するという問題がある本発明は、このような問題点を解決するためになされたものであり、立体感の高い画像が表示可能であるとともに製造費用を抑止可能な表示体を提供することを目的とする。
【０００６】
【課題を解決するための手段】前記目的を達成するための本発明による表示体は、複数の積層された透明基板と、任意の複数の前記透明基板の少なくとも片面に、表示画像を視認する側に向かって表示画像の相似形が順次縮小されて形成される相似形光散乱性画像部とを備えたことを特徴とする。
【０００７】
【作用】本発明による表示体は、複数の透明基板を積層し、この積層された任意の複数の透明基板に、表示画像を視認する側に向かって表示画像の相似形が順次縮小する相似形光散乱性画像部を形成することにより、表示画像の立体感が高まる。
【０００８】
【実施例】・・・本発明の第１実施例による表示体を図１に示す。表示体１０は、アクリル樹脂またはポリカーボネート樹脂等を素材とする透明基板１１〜１４、透明材料を素材とする相似形画像部２１〜２５で構成される。
【０００９】相似形画像部２１〜２５は、透明な網点状の点であり、透明基板１１〜１４の上面または両面に、例えば、透明の光反応性樹脂を用いるエッチング方法、マットクリアインキを用いる印刷方法等により形成される。相似形画像部２１〜２５は、図１の矢印Ａに示す表示板１０を視認する方向に向かって相似形に順次縮小されて形成され、相似形画像部２１〜２５を整合するように各透明基板１１〜１４が積層されている。
【００１０】下層側、すなわち透明基板１４側から光を入射させ、これを上層側、すなわち透明基板１１側から視認すると、各相似形画像部２１〜２５が網点状に形成されているため、光の散乱効果が高まり、相似形画像部２１〜２５が透明つや消し調の白に近い色で明るく輝いて視認される。また、相似形画像部２１〜２５が相似形に順次縮小されて形成されているため、視認角度に影響されない立体感の高い立体画像として視認することができる。
【００１１】本発明の第２実施例による表示体を図２に示す。第２実施例は、視認する側から見て２層目以降の相似形画像部２２〜２５を最上層の相似形画像部２１における略輪郭状の相似形としたものであり、上層側から視認した際の相似形画像部２１〜２５の外観は第１実施例の表示体の相似形画像部の外観と変わらない。
【００１２】下層側から光を入射させたとき、最上層の相似形画像部２１まで表示画像の輪郭以外で入射光が散乱しないため、最上層の相似形画像部２１をより明るく輝かせることが可能となる。本構成による表示体は、例えば、相似形画像部を照射する光源の輝度が低い場合、表示体を構成する透明基板の枚数が多い場合、相似形画像部の光透過性が低い場合等に有効である。」、
「【００１６】本発明の第６実施例による表示体を図６に示す。相似形画像部３１および３５は、例えば透光性着色を有した光反応性樹脂を用いるエッチング方法、透光性着色を有したカッティングフィルムを貼り合わせる方法等により、透光性のある着色材５１および５２で着色されている。第６実施例の表示体は、下層側から光を入射させた場合、これを上層側より視認すると、その相似形画像部は着色された立体画像として視認することができる。
【００１７】第６実施例においては、着色位置、着色面、着色形状、着色数、色、着色材料は本実施例に限定されるものではなく、少なくとも１枚の透明基板の相似形画像部に透光性の着色がなされていればよい。本発明の第７実施例による表示体を図７に示す。第７実施例は、相似形画像部３１〜３４ではなく、透明基板１４上に直接透光性の着色材５２で着色したものである。これ以外の構成、作用および効果は第６実施例と同一である。」、
　と記載されており、上記の記載と図面を参照すると、刊行物２には、
「複数の透明基板を積層し、この積層された任意の複数の透明基板に、表示画像を視認する側に向かって表示画像の相似形（相似形画像部）を順次縮小することにより、表示画像の立体感を高めた表示体。」（以下、「刊行物２記載の発明Ａ」という。）、
「刊行物２記載の発明Ａにおいて、視認する側から見て２層目以降の相似形画像部を最上層の相似形画像部における略輪郭状の相似形とした表示体。」（以下、「刊行物２記載の発明Ｂ」という。）、及び
「刊行物２記載の発明Ａにおいて、相似形画像部が透光性のある着色材５１および５２で着色されている表示体。」（以下、「刊行物２記載の発明Ｃ」という。）が記載されている。
　同じく引用した刊行物３（特開平２−３１００５１号公報・・甲第２号証）には、
「本発明の転写シートによって転写形成された模様層は、複数の絵柄層間に透明層を設けることによって立体感に優れた絵柄を付与するものである。」（第２頁左上欄下から４〜３行）、
「第１又は第２の絵柄層をいかなる模様、色彩、明度、材質等で形成するかは意図する転写模様の意匠性、立体感の状況に応じて適宜組み合わせて決定できるものである。」（第２頁左下欄８〜１１行）、と記載されている。
　同じく引用した刊行物４（特開平９−３１３６６７号公報・・甲第３号証）、及び刊行物５（実願昭６０−１８１４９３号（実開昭６２−９０６８５号）のマイクロフィルム・・甲第４号証）には、
「リール部材の絵柄が施された部分を凸状に隆起させたスロットマシン」（以下、「刊行物４、５記載の発明」という。）が記載されている。
　同じく引用した刊行物６（実願昭６０−３６５９４号（実開昭６１−１５１７８５号）のマイクロフィルム・・甲第５号証）、及び刊行物７（特開平７−５１４４７号公報・・甲第６号証）には、
「表示窓に所定の絵柄が揃った場合にリールを照明するための照明装置を設けた遊技機における図柄表示装置」（以下、「刊行物６、７記載の発明」という。）が記載されている。
３．対比・判断
　請求項１に係る発明と、上記刊行物１記載の発明Ａと対比すると、上記刊行物１記載の発明Ａの「ドラム５１〜５３、７１、７３」、「回転ドラム５０、７０」、「図柄５６ａ〜５８ａ」、「遊技機」は、請求項１に係る発明の「リール部材」、「リール部材アッセンブリ」、「絵柄」、「遊戯台」に各々相当し、また、上記刊行物１記載の発明Ａの図柄もドラム間で重なるように配置されていると認められるので、請求項１に係る発明と上記刊行物１記載の発明Ａは、
「少なくとも２層からなる複数のリール部材を、内周側から外周側へ向かって積層したリール部材アッセンブリであって、各々の前記リール部材には、複数種類の絵柄が施され、前記絵柄は前記リール部材間で重なるように配置されている遊戯台のリール部材アッセンブリ。」で一致し、
　請求項１に係る発明は、絵柄に関して、リール部材間で絵柄同士が少なくとも略相似形であるのに対して、上記刊行物１記載の発明Ａは、略同じである点で相違する。
　上記相違点を検討すると、上記刊行物２記載の発明Ａは「表示画像を視認する側に向かって表示画像の相似形を順次縮小することにより、表示画像の立体感を高めた表示体」を備えたものであり、この刊行物２記載の発明Ａの上記表示技術を表示画像の立体感を高めるという点で共通する上記刊行物１記載の発明Ａのリール部材間で重なるように配置されている絵柄同士が略同じであるものに代えて採用することに当業者が格別な困難性を要するものとはいえない。また、請求項１に係る発明の奏する効果も格別なものということはできない。
　請求項２に係る発明と、上記刊行物１記載の発明Ａと対比すると、上記請求項１に係る発明における相違点の他に、請求項２に係る発明は、各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材か、又は、切り取っているのに対し、上記刊行物１記載の発明Ａは、絵柄同士が略同じであり、リール部材の絵柄によって隠れている、内周側に位置する前記リール部材の絵柄の部分が、光透過性の部材ではなく、又切り取ってもいない点で相違している。
　上記相違点を検討すると、上記刊行物２記載の発明Ｂの、各層が「透明基板」であり、「視認する側から見て２層目以降の相似形画像部を最上層の相似形画像部における略輪郭状の相似形」とする点は、請求項２に係る発明の「各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材」に相当するものと認められるので、上記刊行物２記載の発明Ｂの上記点を表示画像の立体感を高めるという点で共通する上記刊行物１記載の発明Ａのリール部材間で重なるように配置されている絵柄同士が略同じであるものに代えて採用することに当業者が格別な困難性を要するものとはいえない。また、請求項２に係る発明の奏する効果も格別なものということはできない。
　請求項３に係る発明と、上記刊行物１記載の発明Ａと対比すると、上記請求項１、２に係る発明における相違点の他に、請求項３に係る発明は、最も外周側の前記リール部材は、その前記絵柄が施された部分が凸状に隆起したものであるのに対し、上記刊行物１記載の発明Ａは、最外周のドラムに凸表示部７３ａ、凹表示部７３ｂを設け、ここに図柄が形成される、即ち最も外周側の前記リール部材の前記絵柄が施された部分が、凸状に隆起した部分以外の凹部にもある点で相違している。
　上記相違点を検討すると、上記刊行物４、５記載の発明は「リール部材の絵柄が施された部分を凸状に隆起させるもの」であり、この刊行物４、５記載の発明を遊戯台のリール部材という点で共通する上記刊行物１記載の発明Ａにおける最も外周側のリール部材に適用することに当業者が格別な困難性を要するものとはいえない。また、請求項３に係る発明の奏する効果も格別なものということはできない。
　請求項４に係る発明と、上記刊行物１記載の発明Ｂと対比すると、上記刊行物１記載の発明Ｂの「図柄５６ａ〜５８ａ」、「回転ドラム５０、７０」、「表示透明窓８９ａ〜８９ｃ」、「遊技機」、「ドラム５１〜５３」は、請求項１記載の発明の「絵柄」、「回転リール」、「表示窓」、「遊戯台」、「リール部材」に各々相当するものと認められ、また、上記刊行物１記載の発明Ｂの図柄もドラム間で重なるように配置されているものと認められるので、請求項４に係る発明と上記刊行物１記載の発明Ｂは、
「複数種類の絵柄が施された回転リールを複数個有し、前記複数のリール上に施された絵柄を表示窓上に停止させ、停止時の絵柄の組み合わせから所定数の玉またはメダルを払い戻す遊戯台であって、各々の前記リールが、少なくとも２層からなる複数のリール部材を、内周側から外周側へ向かって積層したリールであって、各々の前記リール部材には、複数種類の絵柄が施され、前記絵柄は前記リール部材間で重なるように配置されている遊戯台。」である点で一致し、
　請求項４に係る発明は、絵柄に関して、リール部材間で絵柄同士が少なくとも略相似形であり、更に、照明により混合色が現れる相互に異なる色の絵柄であるのに対して、上記刊行物１記載の発明Ｂは、絵柄同士が略同じである点で相違している。
　上記相違点を検討すると、上記刊行物２記載の発明Ａは「表示画像を視認する側に向かって表示画像の相似形を順次縮小することにより、表示画像の立体感を高めた表示体」であり、この刊行物２記載の発明Ａを表示画像の立体感を高めるという点で共通する上記刊行物１記載の発明Ｂのリール部材間で重なるように配置されている絵柄同士が略同じであるものに代えて採用することに当業者が格別な困難性を要するものとはいえない。また、重ね合わされた異なる色を照明すれば混合色が得られることは一般に広く知られた周知の事実である。そして、これらの点を採用することによって格別な効果を奏するようになったものとはいえない。
　請求項５に係る発明と、上記刊行物１記載の発明Ｂと対比すると、上記請求項４に係る発明における相違点の他に、請求項５に係る発明は、各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材であるのに対し、上記刊行物１記載の発明Ｂは、絵柄同士が略同じである点で相違している。
　上記相違点を検討すると、上記刊行物２記載の発明Ｃは「複数の透明基板を積層し、この積層された任意の複数の透明基板に、表示画像を視認する側に向かって表示画像の相似形（相似形画像部）を順次縮小」、及び「相似形画像部が透光性のある着色材５１および５２で着色」は請求項５に係る発明の上記相違点かかる構成に相当するものと認められ、上記刊行物２記載の発明Ｃを表示器の立体感を高めるという点で共通する上記刊行物１記載の発明Ｂのリール部材間で重なるように配置されている絵柄同士が略同じであるものに代えて採用することに当業者が格別な困難性を要するものとはいえない。また、請求項５に係る発明の奏する効果も格別なものということはできない。 
　請求項６に係る発明と、上記刊行物１記載の発明Ｂと対比すると、上記請求項４、５に係る発明における相違点の他に、請求項６に係る発明は、最も外周側の前記リール部材は、その前記絵柄が施された部分が凸状に隆起したものであるのに対し、上記刊行物１記載の発明Ｂは、最外周のドラムに凸表示部７３ａ、凹表示部７３ｂを設け、ここに図柄が形成される、即ち最も外周側の前記リール部材は、その前記絵柄が施された部分が、凸状に隆起した部分以外の凹部にもある点で相違している。
　上記相違点を検討すると、上記刊行物４、５記載の発明は「リール部材の絵柄が施された部分を凸状に隆起させるもの」であり、この刊行物４、５記載の発明を遊戯台のリール部材という点で共通する上記刊行物１記載の発明Ｂにおける最も外周側のリール部材に適用することに当業者が格別な困難性を要するものとはいえない。また、請求項６に係る発明の奏する効果も格別なものということはできない。
　請求項７に係る発明と、上記刊行物１記載の発明Ｃと対比すると、上記請求項４〜６に係る発明における相違点の他に、刊行物１記載の発明Ｃの「蛍光管４５」は所定の絵柄が揃った場合にリールを照明するか否か不明である点で相違するが、当たり図柄等を照明することが遊戯機の分野では上記刊行物６、７において周知であるので、上記相違点にかかる請求項７に係る発明の構成は当業者が容易に想到し得る程度のことというべきである。また、請求項７に係る発明の奏する効果も格別なものということはできない。
４．むすび
　以上のとおりであるから、本件請求項１〜７に係る発明の特許は、特許法第２９条第２項の規定に違反してされたものであるので、特許法第１１３条第２項に該当し、取り消されるべきものである。
　よって、結論のとおり決定する。
【異議決定日】
平成１３年８月１６日（２００１．８．１６）
【訂正の要旨】
　１．訂正の内容
（訂正事項ａ）
　特許請求の範囲の請求項２における、
「各々の前記リール部材間で、より外周側に位置する前記リール部材の絵柄ほど、小さくなっていること」を、特許請求の範囲の減縮を目的として「各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材か、又は、切り取ってあること」と訂正する。
（訂正事項ｂ）
　特許請求の範囲の請求項４における、
「前記絵柄は前記リール部材間で重なるように配置され、かつ、前記リール部材間で前記絵柄同士が少なくとも略相似形の絵柄であること」を、特許請求の範囲の減縮を目的として「前記絵柄は前記リール部材間で重なるように配置され、かつ、前記リール部材間で前記絵柄同士が少なくとも略相似形であり、更に、照明により混合色が現れる相互に異なる色の絵柄であること」と訂正する。
（訂正事項ｃ）
　特許請求の範囲の請求項５における、
「各々の前記リール部材間で、より外周側に位置する前記リール部材の絵柄ほど、小さくなっていること」を、特許請求の範囲の減縮を目的として「各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材であること」と訂正する。
（訂正事項ｄ）
　明細書の段落【０００５】における、
「本発明のリール部材アッセンブリにおいては、前記リール部材に施された前記絵柄を、各々の前記リール部材間で、より外周側に位置する前記リール部材の絵柄ほど、小さくすることもできる。」を、明りょうでない記載の釈明を目的として「本発明のリール部材アッセンブリにおいては、前記リール部材に施された前記絵柄が、各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材か、又は、切り取ってあってもよい。」と訂正する。
（訂正事項ｅ）
　明細書の段落【０００６】における、
「また、本発明によれば、複数種類の絵柄が施された回転リールを複数個有し、前記複数のリール上に施された絵柄を表示窓上に停止させ、停止時の絵柄の組み合わせから所定数の玉またはメダルを払い戻す遊戯台であって、各々の前記リールが、少なくとも２層からなる複数のリール部材を、内周側から外周側へ向かって積層したリールであって、各々の前記リール部材には、複数種類の絵柄が施され、前記絵柄は前記リール部材間で重なるように配置され、かつ、前記リール部材間で前記絵柄同士が少なくとも略相似形の絵柄であることを特徴とする遊技台が提供される。」を、明りょうでない記載の釈明を目的として「また、本発明によれば、複数種類の絵柄が施された回転リールを複数個有し、前記複数のリール上に施された絵柄を表示窓上に停止させ、停止時の絵柄の組み合わせから所定数の玉またはメダルを払い戻す遊戯台であって、各々の前記リールが、少なくとも２層からなる複数のリール部材を、内周側から外周側へ向かって積層したリールであって、各々の前記リール部材には、複数種類の絵柄が施され、前記絵柄は前記リール部材間で重なるように配置され、かつ、前記リール部材間で前記絵柄同士が少なくとも略相似形であり、更に、照明により混合色が現れる相互に異なる色の絵柄であることを特徴とする遊技台が提供される。」と訂正する。
（訂正事項ｆ）
　明細書の【０００６】における、
「本発明の遊戯台においては、前記リール部材に施された前記絵柄を、各々の前記リール部材間で、より外周側に位置する前記リール部材の絵柄ほど、小さくすることもできる。」を、明りょうでない記載の釈明を目的として「本発明の遊戯台においては、前記リール部材に施された前記絵柄が、各々の前記リール部材間で、より外周側に位置する前記リール部材の絵柄ほど、小さくなっており、更に、外周側に位置する前記リール部材の絵柄によって隠れている、内周側に位置する前記リール部材の絵柄の部分が、光透過性の部材であってもよい。」と訂正する。
（５４）【発明の名称】
遊戯台のリール部材アッセンブリ及び遊戯台
（５７）【特許請求の範囲】
　【請求項１】　少なくとも２層からなる複数のリール部材を、内周側から外周側へ向かって積層したリール部材アッセンブリであって、
　各々の前記リール部材には、複数種類の絵柄が施され、
　前記絵柄は前記リール部材間で重なるように配置され、かつ、前記リール部材間で前記絵柄同士が少なくとも略相似形の絵柄であることを特徴とする遊戯台のリール部材アッセンブリ。
　【請求項２】　前記リール部材に施された前記絵柄は、
　各々の前記リール部材間で、より外周側に位置する前記リール部材の絵柄ほど、小さく
なっており、
　
更に、外周側に位置する前記リール部材の絵柄によって隠れている、内周側に位置する前記リール部材の絵柄の部分が、光透過性の部材か、又は、切り取ってあること
　【請求項３】　最も外周側の前記リール部材は、その前記絵柄が施された部分が凸状に隆起したものであることを特徴とする請求項１又は２に記載の遊戯台のリール部材アッセンブリ。
　【請求項４】　複数種類の絵柄が施された回転リールを複数個有し、前記複数のリール上に施された絵柄を表示窓上に停止させ、停止時の絵柄の組み合わせから所定数の玉またはメダルを払い戻す遊戯台であって、
　各々の前記リールが、
　少なくとも２層からなる複数のリール部材を、内周側から外周側へ向かって積層したリールであって、
　各々の前記リール部材には、複数種類の絵柄が施され、
　前記絵柄は前記リール部材間で重なるように配置され、かつ、前記リール部材間で前記絵柄同士が少なくとも略相似形
であり、更に、照明により混合色が現れる相互に異なる色の絵柄であること
　【請求項５】　前記リール部材に施された前記絵柄は、
　各々の前記リール部材間で、より外周側に位置する前記リール部材の絵柄ほど、小さく
なっており、
　更に、外周側に位置する前記リール部材の絵柄によって隠れている、内周側に位置する前記リール部材の絵柄の部分が、光透過性の部材であること
　【請求項６】　最も外周側の前記リール部材は、その前記絵柄が施された部分が凸状に隆起したものであることを特徴とする請求項４又は５に記載の遊戯台。
　【請求項７】　前記表示窓上に所定の前記絵柄が揃った場合に、前記リールを照明するためのバックライトを設けたことを特徴とする請求項４乃至６のいずれか１項に記載の遊戯台。
【発明の詳細な説明】
　【０００１】
　【発明の属する技術分野】
　本発明は、絵柄が描かれたリールを回転させ、それを停止させた際に直線状に特定の絵柄が揃うことを楽しむ遊戯台に関し、特に、係る遊戯台のリール部材アッセンブリ及びリールの構造に特徴のある遊戯台に関する。
　【０００２】
　【従来の技術】
　昨今の遊戯台は、遊戯意欲をそそるに十分な外観、外装を有するようになってきた。しかしながら、遊戯者にとって一番関心のある遊戯台の部分の一つとして、例えば、遊戯中のスロットマシンのリール表示窓を介して見えるリール絵柄であり、この点に関しては改善がなされていないのが現状である。
　【０００３】
　例えば、これまでのリール上の絵柄は絵そのものに多くの工夫を凝らしてあるが、平面に印刷した絵柄が用いられているという単調なものであり、リール窓から見える絵柄については大きな特徴がなく、こと絵柄に着目した場合には遊戯意欲をそそるものではなかった。即ち、従来のスロットマシンやパチンコ台で代表される回胴（リール）を有する遊技器のリール上の絵柄は単にリール面に印刷した絵柄が用いられているに過ぎず、絵柄が遊戯意欲の増進にはつながらなかった。
　【０００４】
　【発明が解決しようとする課題】
　本発明は、上記問題点に鑑み提案されるものであって、その目的は、遊戯意欲を増進せしめる絵柄を有する遊戯台のリール部材アッセンブリ及び遊戯台を提供することにある。
　【０００５】
　【課題を解決するための手段】
　本発明によれば、少なくとも２層からなる複数のリール部材を、内周側から外周側へ向かって積層したリール部材アッセンブリであって、各々の前記リール部材には、複数種類の絵柄が施され、前記絵柄は前記リール部材間で重なるように配置され、かつ、前記リール部材間で前記絵柄同士が少なくとも略相似形の絵柄であることを特徴とする遊戯台のリール部材アッセンブリが提供される。
　本発明のリール部材アッセンブリにおいては、前記リール部材に施された前記絵柄
が
なっており、更に、外周側に位置する前記リール部材の絵柄によって隠れている、内周側に位置する前記リール部材の絵柄の部分が、光透過性の部材か、又は、切り取ってあってもよい
　また、本発明のリール部材アッセンブリにおいては、最も外周側の前記リール部材を、その前記絵柄が施された部分が凸状に隆起したものとすることもできる。
　【０００６】
　また、本発明によれば、複数種類の絵柄が施された回転リールを複数個有し、前記複数のリール上に施された絵柄を表示窓上に停止させ、停止時の絵柄の組み合わせから所定数の玉またはメダルを払い戻す遊戯台であって、各々の前記リールが、少なくとも２層からなる複数のリール部材を、内周側から外周側へ向かって積層したリールであって、各々の前記リール部材には、複数種類の絵柄が施され、前記絵柄は前記リール部材間で重なるように配置され、かつ、前記リール部材間で前記絵柄同士が少なくとも略相似形
であり、更に、照明により混合色が現れる相互に異なる色の絵柄であること
　本発明の遊戯台においては、前記リール部材に施された前記絵柄
が
なっており、更に、外周側に位置する前記リール部材の絵柄によって隠れている、内周側に位置する前記リール部材の絵柄の部分が、光透過性の部材であってもよい。
　また、本発明の遊戯台においては、最も外周側の前記リール部材を、その前記絵柄が施された部分が凸状に隆起したものとすることもできる。
　また、本発明の遊戯台においては、前記表示窓上に所定の前記絵柄が揃った場合に、前記リールを照明するためのバックライトを設けることもできる。
　【０００７】
　【発明の実施の形態】
　以下、添付図面に従って本発明に係わる実施形態の例をスロットマシンを例にとって詳細に説明する。
（実施例１）
＜スロットマシン＞
　図１に本発明を適用したスロットマシンの正面からみた外観を示す。スロットマシン１００には、周面に絵柄を有する３つのリール１０１〜１０３と、各リールの連続する３つ絵柄を見るためのリール窓１０４（従って、３×３の絵柄リール窓１０４より見えることになる）、リール１０１〜１０３の回転を開始させるためのスタートレバー１０５、メダル投入口１０６、メダルの払い出し口１０７、メダルの受け皿１０８、クレジトよりのメダル３枚掛けのボタン１０９、２枚掛けボタン１１０、１枚掛けボタン１１１、クレジットの清算ボタン１１２、音声を出力するスピーカ１１３、クレジットの残枚数表示器１１４、払い出し枚数の表示やボーナス時のゲームの残挑戦回数等を表示する表示器１１５、並びに遊戯者が各リールを停止させるためのストップボタン１２１〜１２３、等が備わっている。１２４は、クレジットにするか否かを選択するクレジット選択スイッチであり、オンのときは、メダルの払い出しが５０枚までは、内部にクレジットとして貯えられる。払い出しは、クレジット清算ボタン１１２を押すことにより、クレジットの残枚数表示機１１４に表示されている枚数のメダルが払い出される。
　【０００８】
　図２は、リール窓部分を分かり易くするために他を省略し、拡大した図である。図１と同じように、スロットマシンは１００のリールは１０１〜１０３、リール窓は１０４である。また入賞ラインは７ａ、７ｂ、７ｃである。遊戯者は、まずメダルを１枚ないし複数枚メダルを投入口１０６に投入した後に、スタートレバー１０５を操作することで、全リールの回転を開始させる。次にストップボタン１２１〜１２３を押下することで、次々と、リールの回転を停止させていく。
　【０００９】
　ゲームは、メダルの投入枚数に従い直線上（メダル１枚投入時は入賞ライン７ａの水平線１本、メダル２枚投入時は入賞ライン７ａの水平線１本と入賞ライン７ｂの水平線２本の合計３本、メダル３枚投入時は入賞ライン７ａの水平線１本と入賞ライン７ｂの水平線２本と入賞ライン７ｃの斜め方向の２本の線２本の合計５本の直線上）に特定の絵柄が揃うと、「役」や「大当たり」（ボーナスゲームや、ビッグ・ボーナスゲーム）となり、それに応じたゲームの開始になったり、所定の枚数のメダルを下部に設けられた図１に記載してあるメダル払い出し口１０７からメダル受け皿口１０８へ排出する。なお、メダルの排出に代わって、スロットマシンをクレジット処理の状態（クレジット選択スイッチ１２４がオンの状態）にしておくと、メダルの払い出しは５０枚までなされず、クレジットの表示器１１４に前のクレジットの枚数に加算され表示される。
　【００１０】
　一般には、リール窓１０４はガラス等の透明部材が用いられており、また従来、リール上の絵柄はリール面に印刷した絵柄が用いられている。
＜リールマウントとリールの構成＞
　図３は、本実施例における、リール部の分解斜視図を示している。以下図３を用いてリール部を詳細に説明する。
　【００１１】
　リール１０１〜１０３は、リールマウント５００に搭載されるものであり、遊戯台の全面の扉を開け、２本の上下のネジを外すことで、このリールマウント５００は遊戯台（スロットマシン）から着脱できるようになっている。図３は、リール１０１、１０２が既にリールマウント５００に搭載されており、リール１０３ついてだけ分解して記載し、その構成を示している。
　【００１２】
　５０１は、各リール内のそれぞれのモータを駆動させたり、各リールの回転位置検出センサ５１０からの信号をスロットマシン内の図示していない制御部と接続するための中継コネクタベース（プリント基板）である。リール１０１、１０２についても同様の構造をしているものであり、ここでは、リール１０３の構造について説明する。
　【００１３】
　５２０は、リールを固定するための支持部材であり、リールマウント５００の内側上下に備えられているガイドレール５０２に沿ってリールマウント５００に挿入され、支持部材５２０の上下にあけられている取り付け穴５２０ー１、５２０ー２を利用して、リールマウント５００のタップ穴５０３ー１、５０３ー２へネジ止される。即ち、この２本のネジで、リール１０３をリールマウント５００にネジ止めし固定する。
　【００１４】
　支持部材５２０には、ステッピングモータ５２１及び回転位置検出センサ５１０が固定される。更に前支持部材５２０の前面端の折り曲げ部分には、図示の如く２×３個の発光素子を搭載した発光素子基板６００を固定保持するための照明投射枠６１０が固定される。なお、発光素子としては、通常のランプ、半導体発光素子、エレクトロルミネッセンス、冷陰極管、蛍光燈、等々がある。
　【００１５】
　照明投射枠６１０には、３つに窓が設けられており、それぞれの窓（図では１つの窓に発光素子２個が内設されている）は、図１における表示窓１０４の、縦方向の３つの絵柄を表示する位置にそれぞれ対応するものである。支持部材５２０に照明投射枠６１０を固定した場合における、支持部材５２０及び照明投射枠６１０を上方向から見ると略Ｌ字形をなし、照明投射枠６１０はリールの内側に位置するようになっている。
　【００１６】
　照明投射枠６１０が支持部材５２０に固定された場合には、それぞれの窓は斜め上方向に向くようになっている。これは、遊戯者はリール表示窓１０４内のリールを斜め上方向から見下ろすようにして見るためで、それ故、その見る方向に対向すべく斜め上方向に向くように固定される。照明投射枠６１０は、支持部材５２０に図示していないネジ止めにて固定され、３つの窓を規定するための側面版６１１、６１２及び上下方向の窓を区切るための区切り番６１３〜６１６で構成される。照明投射枠６１０を構成するこれらの部位および板は、合成樹脂（プラスチック）等で一体成形されているものである。
　【００１７】
　支持部材５２０に固定されたステッピングモータ５２１の先端の回転軸には、図３に示すように、リールの回転軸５２３を固定するための固定具５２２が軸支えされる。回転軸５２３は面一でなく、図示の如く回転の中心位置が内部に向かって凹型をなす支持部（アーム）５２３ａにより、固定具５２２に固定される部位が、リールの重心位置になるようになっている。これは、安定してリールを回転させるためである。
　【００１８】
　リールの他方端には、回転枠５２４が取り付けられており、回転枠５２４と回転軸５２３とで後述するリール部材アッセンブリ５２５を固定支持するようになっている。このリール部材５２５に絵柄が施されている。また、後述するように、このリール部材は、複数のリール部材が積層（積み重ね）されて構成されている。
　【００１９】
　リール部材アセンブリ５２５を構成する部材は、本実施例では所定の厚みを持つアクリルを使用しているが、照明投射枠６１０が有する発光素子の光が、適度に通過する程度（リール部材の該当する位置全体がおおむね均一に明るく外周に照らし出す程度）であれば他の材質でもよい。
＜リール部材アッセンブリ５２５＞
　次に、図４〜図９を用いて本実施例の重要な部分であるリール部材アセンブリ５２５を詳細に説明する。図７は、図３におけるリール部材アセンブリ５２５を取り出した斜視図であり、二重に積層されたリール部材アッセンブリを例にとり示している。
　【００２０】
　図７に示すリール部材アッセンブリの構成は、その一部を詳細に説明すると、図４に示す内周（下側）の絵柄が印刷されたリール部材５２５−１と、図５に示す外周（外側、上側）の絵柄が印刷されたリール部材５２５−２が積層され、図６に示すように、なっている。文字の図柄「７」に注目してみると次のようになる。図４のｂで示す図柄より、図５の斜線の施してあるａで示す図柄が小さく構成されており、両リール部材を積層したときに図６に示すように、斜線を施してある図柄ａの周辺から図柄ｂがはみだすようになっている。このように構成すると、リール部材の厚みがある程度あるために、外部よりこの積層した図柄を見ると、平面に印刷した図柄に比べ、より立体的に見える。
　【００２１】
　なお本実施例では、外側のリール部材５２５−２は、透明部材に絵柄を印刷したリール部材を示しているが、少しの濁りのある光透過性部材を使用することにより、ぼけ感を引き出すことができより変化を作ることができる。また、本実施例では、リール部材５２５−１の絵柄が、リール部材５２５−２の絵柄とは内容が同一で相似なものが描かれているが、必要に応じ下層の図柄として異なる図柄を配置することにより、別の面白味のある絵柄を構成することができる。
　【００２２】
　更に、バックライトにより、下層リール部材の図柄として、上層リール部材の絵柄により隠れた部分に絵柄を描き、これをを映し出すことができ、変化のある、遊戯意欲をそそる遊戯台とすることができる。更に、外周の絵柄の色に対応して、下層のリール部材として、上層のリール部材と異なる色を配置することにより、所定の時にバックライトにより照らし出すことにより、色彩的変化（混合色等）を持たすことができ、より面白味のある、遊戯意欲をそそる遊戯台とすることができる。
（実施例２）
　図８はリール部材アッセンブリのリール部材を三層にした実施例を示す図である。図から分かるように、最上部層のリール部材を５２５ー２とし、そこにある絵柄には斜線を施し、ａで示してある。中間層のリール部材は５２５ー１であり、絵柄はｂで示してあり、一番下のリール部材は５２５ー３であり、絵柄はｃで示している。
　【００２３】
　従って、図８のようにリール部材アッセンブリを構成すると、実施例２の二層の構造と同様に、リール部材の厚みがある程度あるために、外部よりこの積層した図柄を見ると、平面に印刷した図柄に比べ、より立体的に見える。更に層を増やすことにより、より立体的にみえる。また、図８において、下側のリール部材（５２５ー３）に対して外側のリール部材（５２５ー１、５２５ー２）は、透明部材に絵柄を印刷したリール部材を示しているが、外側のリール部材として少しの濁りのある光透過性部材を使用することにより、ぼけ感を引き出すことができ、より変化を作り出すことができる。
　【００２４】
　また、本実施例では、リール部材５２５−１、５２５ー３の絵柄が、リール部材５２５−２の絵柄とは内容が同一でおおむね相似的な絵柄が描かれているが、必要に応じ下側の図柄として上側の図柄と異なる図柄を配置することにより、実体間のある絵柄を構成することにより、変化がでる。更に、バックライトにより、下層リール部材の図柄として、上層リール部材の絵柄により隠れた部分に絵柄を描き、これをを映し出すことができ、変化のある、遊戯意欲をそそる遊戯台とすることができる。
　【００２５】
　更に、外周の絵柄の色に対応して、下層のリール部材として、上層のリール部材と異なる色を配置することにより、色彩的変化のある遊戯台を提供できる。更に、所定の時にバックライトにより照らし出すことにより、色彩的変化（混合色等）を持たすことができ、より面白味のある、遊戯意欲をそそる遊戯台とすることができる。
（実施例３）
　図９は、上層のリール部材５２５ー２に描かれてある絵柄ａに対して、下層のリール部材５２５ー１に描かれている絵柄ｂは、上層の絵柄ａに隠れている部分ｂ’が必要でないことを示している。従って、リール部材５２５ー１では、部分ｂ’に絵柄を配置する必要がないので、光透過性の部材であるか、切り取ってあると、バックライトにより照らすこきに光の透過率があがり、より面白味のある、遊戯意欲をそそる遊戯台とすることができる。
（実施例４）
　図１０乃至１３は、最上層のリール部材５２５ー２上の絵柄が立体である場合の実施例を説明するための図である。以下、最上層のリール部材の上にある絵柄の形状について詳細に説明する。
　【００２６】
　前述したように、最上層のリール部材上にある絵柄は、通常のリールと同様の印刷による絵柄や、やや光透過性のある印刷を用いても良いが、本実施例では、立体の図柄が配置された場合について詳細に説明する。図１０はリール部材５２５ー２上の絵柄を、クレジットカードのエンボス文字のように絵柄がリールの表面外部へ台形立体状に突出し、立体部の上面が平らになるように構成した例である。この形状は、従来のエンボス技術または真空成形等で容易に作成できる。
　【００２７】
　図１０（ａ）はリール部材５２５ー２を平面で見た図で、（ｂ）乃至（ｄ）は幾つかの種類ののリール部材５２５ー２の（Ａ−Ａ）断面を示す図である。図１０の（ｂ）はリール部材５２５ー２と絵柄が一体の例、図１０の（ｃ）と（ｄ）はリール部材５２５ー２の上に立体状の絵柄の成形品をを貼り付けた場合の例であり、（ｃ）は立体状の絵柄をリール部材５２５ー２の上に貼り付けた例で、バックライトを使用する場合、立体状の絵柄の下の部分が光透過であるとよい。また図１０の（ｄ）は立体状の絵柄の下のリール部分が切り抜いてある例であり、光の透過効率が良いことはいうまでもない。
　【００２８】
　図１２は、リール部材５２５ー２が上の層でリール部材２５２ー１が下のリール部材として、２層になっているリール全体の斜視図であり、クレジットカードのエンボス文字のように絵柄がリールの表面外部へ台形立体状に突出し、立体部の上面が平らになるように構成したリール部材を最上位のリール部材とし構成した例である。
　【００２９】
　図１１はリール部材５２５ー２の上の絵柄を、お面のように絵柄がリールの表面外部へ縁よりなだらかな浮き上がりを持たせて立体状に突出し、絵柄の表面が実体的に凸に構成した例であり、この形状もまた、従来の真空成形等で容易に作成できる。図１１（ａ）はリール部材５２５ー２を平面で見た図で、（ｂ）乃至（ｄ）は幾つかの種類ののリール部材５２５ー２の（Ｂ−Ｂ）断面を示す図である。
　【００３０】
　図１１の（ｂ）はリール部材５２５ー２と絵柄が一体の例、図１１の（ｃ）と（ｄ）はリール部材５２５ー２の上に別に成形した立体状の絵柄部分を貼り付けた場合の例であり、（ｃ）は立体状の絵柄をリール部材５２５ー２の上に貼り付けた例で、バックライトを使用する場合、立体状の絵柄の下の部分が光透過であるとよい。また図１１の（ｄ）は立体状の絵柄の下のリール部分が切り抜いてある例であり、光の透過効率が良いことはいうまでもない。
　【００３１】
　図１３は、リール部材５２５ー２が上の層でリール部材２５２ー１が下のリール部材として、２層になっているリール全体の斜視図であり、お面のように絵柄がリールの表面外部へ縁よりなだらかな浮き上がりを持たせて立体状に突出し、絵柄の表面が実体的に凸に構成したリール部材を最上位のリール部材とし構成した例である。
　【００３２】
　更に、立体の絵柄は真空成形に依らずとも、形抜きや射出成形でもよい。以上のようにリール部材を積層し、絵柄を立体状に見えるように構成したことにより、遊戯者は、リール表示窓１０４を介して各リールの絵柄（１つの複数枚から構成されるリール部材に対して縦方向に３つあり、３つのリールで合計９個の絵柄）は奥行きのあるより立体に近いな像を見ることができる。
　【００３３】
　更に、前記立体上の図柄は、リールが全て停止する前に停止した図柄が投入メダル数に対応する入賞ラインに揃うであろう並びになったときに、停止した入賞ラインに揃うであろう停止したリールの絵柄の裏面（リールの内側）からバックライトで照明、または揃うであろう入賞ラインをすべてバックライトで照明するように構成することにより、または、リールが全て停止した時に停止した図柄が投入メダル数に対応する入賞ラインに揃ったときに揃った図柄の裏面からバックライトにより該当図柄を照明するように構成することにより、即ち、入賞ライン上の該当絵柄の各絵柄全体がほぼ均等に背後から照明を受けるので、ボーナスや、ビッグ・ボーナスに入賞の場合、立体図柄がより鮮明に見え、停止スイッチ１２１、１２２、または１２３により停止タイミングを容易に捕らえることができ、遊戯者の助けとなり、また、神秘的な雰囲気をかもしだすことができし、遊戯意欲を一層そそることが可能になる。
　【００３４】
　即ち、立体状の絵柄を貼り合わせる場合、立体の絵柄に対応するリール側は、その立体の絵柄に対応する部分を透明、半透明、またはくり貫いておくことにより、立体絵柄をより鮮明に表示することができる。更に、立体の絵柄に対応しない部分は照明が透過しにくく構成することにより照明効果が大となることはいうまでもない。
　【００３５】
　尚、上記実施例では、３枚のリール部材を積層した例で説明したが、これは３枚以上の複数のリール部材を積層し構成し更に細かい奥行きを持たせる事もできる。以上、本実施例ではスロットマシンを例にしてリール部材を積層し立体状の図柄を構成することを説明したが、パチンコ等の打玉遊戯台に回転リールを設ける場合（例えば所定の入賞口に打球が入る、或いは通過した場合に回転する等）にも適合出来るので、本実施例によって本願発明が限定されるものではない。
　【００３６】
　【発明の効果】
　以上詳細に説明したように本発明によれば、リール部材を積層し、リール上の絵柄に奥行きのある立体感を持たせることにより、遊戯者にとって、遊戯が楽しめ遊戯意欲をそそる効果がある。
【図面の簡単な説明】
　【図１】
　本発明のスロットマシンの外観図である。
　【図２】
　図１におけるリール表示窓１０４からリール上の絵柄を見た拡大図である。
　【図３】
　実施例で用いるスロットマシンのリール部分の分解斜視図である。
　【図４】
　実施例１で説明する下層のリール部材の絵柄を説明する図である。
　【図５】
　実施例１で説明する最上層のリール部材の絵柄を説明する図である。
　【図６】
　実施例１の下層と最上層のリール部材を重ね合わせた絵柄を示す図である。
　【図７】
　実施例１で説明するのリールの斜視図を示した図である。
　【図８】
　実施例２のリール部材が３層の場合の絵柄を説明する図である。
　【図９】
　実施例３の下層のリール部材の絵柄を説明する図である。
　【図１０】
　実施例４の最上層リール部材の、台形状立体の絵柄を説明する図である。
　【図１１】
　実施例４の最上層リール部材の、お面状立体の絵柄を説明する図である。
　【図１２】
　図１０に示した図柄が台形状立体になっている場合のリール斜視図である。
　【図１３】
　図１１に示した図柄がおめん状立体になっている場合のリール斜視図である。
　【符号の説明】
１００　スロットマシン
１０１〜１０３　リール
１０４　リール表示窓
１０５　スタートレバー
１０６　メタル投入口
１０７　メダルの払い出し口
１０８　メダルの受け皿
１０９　メダル３枚掛けボタン
１１０　メダル２枚掛けボタン
１１１　メダル１枚掛けボタン
１１２　クレジット清算ボタン
１１４　クレジット残枚数表示器
１１５　払い出し枚数表示機
１２１〜１２３　ストップボタン
１２４　クレジット選択スイッチ
５００　リールマウント
５０１　中継コネクタベース
５０２　ガイドレール
５０３ー１、５０３ー２　取り付け穴
５１０　回転位置検出センサ
５２０　支持部材
５２０ー１、５２０ー２　取り付け穴
５２１　ステッピングモータ
５２２　固定具
５２３　リールの回転軸
５２３ａ　支持部（アーム）
５２５　リール部材
５２５ー１、５２５ー２、５２５ー３　リール部材
６１０　照明投射枠
６１１、６１２　側面版
６１３〜６１６　区切り板